(57)【要約】【課題】コンクリート床面仕上げ均し作業に使用する均し鏝の軽量化と作業性改善して、床面仕上げの平滑を確保しつつ作業員の労力軽減と作業効率向上をはかることを目的とする考案である。【解決手段】均し鏝のコンクリート表面に接する部分である均し板を、弾力性を有する薄板材で構成し、柄支持部の底面に取り外し可能に取り付ける配置とした。特に、均し板の面の幅方向寸法は柄支持部底面の幅より大きいことを特徴とする。この結果、鏝全体の重量が減り、作業が容易になる。さらに、打ち込み直後の柔らかいコンクリート床面の凹凸に対して適当な変形を生じて容易にコンクリート表面を平滑に均すことができ作業効率が向上する。【選択図】図２
0003109355.tif 000002
【実用新案登録請求の範囲】
【請求項１】
柄（１）を装着した柄支持部（２）の底面に、該支持部底面の幅より大きい幅を持ち、弾力性ある薄板で成る仕上げ均し板（３）を取り外し可能に取り付けて構成した、コンクリート床面仕上げ均し鏝。
【請求項２】
柄（１）を装着した柄支持部（２）の底面に、該支持部底面の幅より大きい幅を持つ薄板鋼板又は薄板ステンレス鋼板で成る仕上げ均し板（３）を取り外し可能に取り付けて構成した、コンクリート床面仕上げ均し鏝。
【請求項３】
柄（１）を装着した柄支持部（２）の底面に、該支持部底面の幅より大きい幅を持つ薄板鋼板又は薄板ステンレス鋼板で成る仕上げ均し板（３）を取り外し可能に取り付けて構成した、コンクリート床面仕上げ均し鏝あって、支持部（２）底面への仕上げ均し板（３）の取り付けを両面接着テープ（４）によって行うことを特長とする。
【考案の詳細な説明】
【技術分野】
【０００１】
本考案は、コンクリート床面の仕上げ工程において表面均し作業に使用する鏝に関するものである。
【背景技術】
【０００２】
コンクリート床施工において、仕上げ面のコンクリート打ち込みの後に行う仕上げ面均しと平滑化作業は徐々に機械化されてきているが、依然として作業員による手作業が中心である。仕上げ面均し、平滑化作業には、鏝を用具として使用する。このような用途に使用する鏝には片手使用の左官鏝と、長い柄を装着し立ち姿勢で使う鏝がある。
【０００３】
本考案は前記の長い柄を装着した、立ち姿勢で使う鏝に関するものであって、鏝の先端に装着されコンクリート仕上げ面に接する部分（均し板）の面積が左官鏝より比較的大きくて、広い作業場所や、均し作業の障害物が少ない作業場所において作業能率を上げることができる。その一方均し板の面積が大きいこと、柄が長いことは均し板の重量を大きくし、作業員が鏝を保持する位置でのモーメントを増し、取り扱い困難と、作業員の疲労を来たし易い。さらに、均し板の重量が重く、また剛性が大きい（打ち込み直後のコンクリート仕上げ面の柔らかさに比較して）ことから、仕上げ床面コンクリートに細い溝、段差が生じ易く、その補正に時間を要し、作業効率の低下の原因となっていた。    
【０００４】
均し板の重量や剛性の大きさによる作業性低下を防止する対策としては特許文献１に開示されたものがある。これは、均し板部をフロート状に構成し浮力によってコンクリート仕上げ面への接地圧を低め、作業性を改善しようとするものである。また、特許文献２に開示されたものは、均し板部に振動体を組み込み、均し板の振動を利用してコンクリート面の平滑化を行うことにより、作業者への負担軽減を図ろうとする。
【特許文献１】実開平５−８３１８０号公報
【特許文献２】実開平５−３８２０１号公報
【考案の開示】
【考案が解決しようとする課題】
【０００５】
しかし、上述の特許文献に示したものがその例であるが、従来の技術は一般に機構が複雑でコスト高となり、現場での取り扱いを難しくする問題点がある。
【０００６】
均し板の重量を軽減すると同時に、均し板の剛性が打ち込み直後のコンクリート面の硬さと適合し、仕上げ面に溝や段差が付き難い、簡単な機構のコンクリート床面仕上げ均し鏝を開発しようとした。
【課題を解決するための手段】
【０００７】
本考案は、均し板を鋼鉄やステンレス鋼等弾力性と強度を併せ持った材質の薄板で構成し、鏝先端部重量を低減すると同時に、均し板に適当な柔軟性を与えることが出来るよう配置したものであって、打ち込み後の柔らかいコンクリート床面の凹凸に対応した変形を生じ、均し板各部に作用するコンクリート床面との接地圧の差を緩和することにより、結果として仕上げ面の均し痕（溝、段差等）の発生を防止し得るよう配置したことを主要な特徴とする。
【０００８】
均し板の面形状は基本的には矩形であって、その幅寸法は柄支持部の底面（基本的に矩形をなす）の幅寸法より大きいことも課題解決に必要な要件である。そして、均し板の幅方向両端部を柄支持部の底面（該支持部は均し作業者が鏝を通常操作する力をもって作業しても事実上変形を生じない剛性を有する）の境界外に延長してはみ出すように取り付ける。該はみ出した部分がコンクリート床面の凹凸に対して変形し柔軟に対応できる。一方、均し板の柄支持部底面境界内にある部分は柄支持部と密接に結合しているので、コンクリート表面の凹凸を克服する剛性を与えられる。
なお、均し板面形状又は柄支持部の底面の形状は矩形以外にも長楕円、矩形の角を取ったもの等が適用し得る。
【０００９】
本考案においては、均し板(図２に図示した３)に薄板を使用するところから、コンクリートとの接触面が磨耗し、該板のみを交換する必要が生ずる。そこで、柄の支持部(図２に図示した２)と均し板（３）は相互に取り外し可能に構成し、容易に予備の均し板と交換するようにしたことも特長である。
【考案の効果】
【００１０】
本考案のコンクリート床面仕上げ均し鏝は均し板（３）が弾力性を有する薄板から成るものであり鏝全体重量軽減及び特に先端部分の重量軽減になり、取り扱い容易になる。さらに、該均し板の一部を柄支持部（２）の底面境界からはみ出すよう配置したことにより、均し板（３）がコンクリート床面の凹凸に対して変形して均し及び平滑化作業を容易にする。さらに、従来の鏝の重量を増すことなく均し板の面積を拡大することができるので、一度に従来の鏝より広い面積をカバーすることができ、作業効率を向上させる。均し板が磨耗した場合には同板の交換また現在使用している板の取り付け方向を変更することにより、鏝の他部分を再使用可能なので、仕上げ作業用具費用の低減になる。
【考案を実施するための最良の形態】
【００１１】
図1に示すコンクリート床面仕上げ用均し鏝として適用することが最良に実施形態である。
【実施例１】
【００１２】
図２は、本考案の１実施例を示す。図２aは全体構成を示す。図２ｂは側面図である。１は鏝を操作する柄である。  ２は柄支持部でありその底面に均し板３を両面テープ４により貼り付けてある。
【００１３】
考案者が試験した結果によれば、均し板３は幅１０ｃｍ、長さ１００ｃｍ、厚み０．５ｍｍの矩形ステンレス鋼板を、幅４ｃｍ、高さ２ｃｍで、長さは均し板３の長さと同じである矩形底面を有する柄支持部２に、長手方向中心線を合わせて両面テープ４により貼り付けた構成のものが、使い易さ、仕上げ面の平滑性の点で有利であるとの結果を得た。
【００１４】
柄支持部２はアルミニューム材の断面ロ形の型材を所望長さに切断したものであり、上面に柄１を取り付けている。
柄は通常の金属管を適宜長さに切断して用いる。柄は操作し易いように均し板平面に対して傾斜して取り付ける。
【００１５】
柄１を持ち、均し板３がコンクリート床面に接触するように保持し、均し板３を主として前後方向（均し板３の長さ方向と直角の方向）、必要に応じて斜め、左右にスライドして操作することにより均し作業を行う。均し板３の柄支持部２の底面からの延長部がコンクリート床面に接触すると変形を生じ、接地圧を平均化する作用を発揮する。
【００１６】
均し板３は両面接着テープ４により柄支持部２に貼り付けてあるので交換が容易である。また均し板３の幅方向端部の一方が減耗した場合には均し板３を柄支持部２の底面に以前の取り付けから約１80度回転させて取り付け使用することが可能である。
【００１７】
均し板３の柄支持部２への取り付けは、均し板上面にボルトを立て込み、柄支持部２に空けた貫通穴に通し、ナットで締める方法等、他の方法でも可能である。
【００１８】
本実施例では均し板３と柄支持部２の長手方向中心線を合致させる配置としたが、中心線の一致は必ずしも必要事項ではない。均し板３が、柄支持部２の底面幅方向延長にはみ出るよう配置されることは、中心線の一致かどうかに関わらず本考案の１実施形態である。
【００１９】
本実施例において上記に記載した均し板３及び柄支持部２の寸法はあくまで本実施例における特定の事例を示すものであり、作業条件に応じて、例えばコンクリートの性状、硬化度等に応じて適正値を決定すべきである。
【００２０】
均し板３及び柄支持部２の材質も特定の実施例に関して記載したものであり、本考案の技術的意義を満たす材質、例えばプラスッチック等も使用し得る。
【実施例２】
【００２１】
図３は、本考案の他の実施例２を示す。図２と同様の構成の鏝であるが、柄の取り付けを、柄支持部上面に設けた柄接続ソケット５にはめ込むことにより行うものである。柄の部分を適当な長さのものに変更したり、異なる材質のものに変更して作業状況に対応することが出来る。
【００２２】
図３において、５は柄接続ソケットであり、１は取り外し可能な柄である。
【産業上の利用可能性】
【００２３】
コンクリート床面仕上げ均し鏝を軽量化し、用具コストを低減し、作業者の疲労を軽減するとともに、仕上げ面の平滑性を向上できるので作業現場における作業効率改善に役立つ。
【図面の簡単な説明】
【００２４】
【図１】コンクリート床仕上げ均し鏝の従来のもの一例の外形図である。
【図２】実施例１を説明した外形図である。
【図３】実施例２を説明した柄支持部の説明図である。
【符号の説明】
【００２５】
１    柄
２    柄支持部
３    均し板
４    両面接着テープ
５    柄取り付けソッケト
【図１】
0003109355.tif 000003
【図２】
0003109355.tif 000004
【図３】
0003109355.tif 000005
【手続補正書】
【提出日】平成17年2月10日(2005.2.10)
【手続補正１】
【補正対象書類名】実用新案登録請求の範囲
【補正対象項目名】請求項３
【補正方法】変更
【補正の内容】
【請求項３】
柄（１）を装着した柄支持部（２）の底面に、該支持部底面の幅より大きい幅を持つ薄板鋼板又は薄板ステンレス鋼板で成る仕上げ均し板（３）
を取り外し可能に取り付けて構成した、コンクリート床面仕上げ均し鏝あって、支持部（２）底面への仕上げ均し板（３）の取り付けを両面接着テ
ープ（４）によって行うことを特長とする、コンクリート床面仕上げ均し鏝。